(57)【要約】【課題】薄く軽量であり、コストも抑えられ、しかも、隠蔽作業がしやすい隠蔽付き申込ハガキを提供する。【解決手段】隠蔽ラベル付き申込ハガキ１０は、記入欄ｂを設けた、例えば上質紙<坪量１１０ｇ／ｍｍ2>からなるハガキ片１１と、記入欄ｂを隠蔽する、例えば上質紙<坪量５５ｇ／ｍｍ2>からなる隠蔽片１２と、隠蔽片１２の片面の略全面に設けられ、隠蔽片１２をハガキ片１１に再剥離・再貼付可能に擬似接着する粘着剤層１４とを備えている。そして、隠蔽片１２がハガキ片１１に予め貼付されており、ハガキ片１１から剥離して記入欄ｂに必要事項を記入したのちに、ハガキ片１１に再貼付する。【選択図】図１
2007008095.tif 000002
【特許請求の範囲】
【請求項１】
記入欄を設けたハガキ片と、
前記ハガキ片の１辺に連接され、前記記入欄を隠蔽する隠蔽片と、
前記隠蔽片の片面の略全面に設けられ、前記隠蔽片を前記ハガキ片に再剥離・再貼付可能に擬似接着する粘着剤層とを備え、
前記隠蔽片は、前記ハガキ片に予め貼付されており、前記ハガキ片から剥離して前記記入欄に必要事項を記入したのちに、前記ハガキ片に再貼付可能であること、
を特徴とする隠蔽ラベル付き申込ハガキ。
【発明の詳細な説明】
【技術分野】
【０００１】
本発明は、カード支払い等の申込書に好適に使用され、記載された情報を隠蔽可能な隠蔽ラベル付き申込ハガキに関するものである。  
【背景技術】
【０００２】
申込書がハガキの場合に、申込内容が外部から容易に判読可能であり、申込者からすると、例えば、「クレジットカードＮｏ．」や「電話番号」等を記載するのを躊躇することが少なくなかった。
【０００３】
このため、例えば、剥離可能な構造を有する特殊な隠蔽ラベル片で被覆する形態の隠蔽ハガキが多く使用されている。隠蔽ラベル片は、申込みハガキ本体の一部又は近傍に貼り込まれており、申込欄に記入してから貼り替えるようになっており、申込者としてはわかりやすく、使いやすいものであった（特許文献１）。
【０００４】
図２は、隠蔽付き申込ハガキの従来例を示す模式図である。
従来例の隠蔽付き申込ハガキ２０は、図２（Ａ），（Ｂ）に示すように、ハガキ基材２１と、隠蔽ラベル片２２とを備えている。
ハガキ基材２１は、通常ハガキの略２倍のサイズで、ミシン目ａで区画されるハガキ片２１ａとラベル貼付片２１ｂとからなり、ハガキ片２１ａの裏面に記入欄ｂを有している。隠蔽ラベル片２２は、ハガキ片２１ａの記入欄ｂを隠蔽するためのものであり、ラベル貼付片２１ｂの裏面に予め貼付されている。
【０００５】
隠蔽ラベル片２２は、図２（Ｂ）に示すように、隠蔽ラベル片基材２３と、隠蔽ラベル片基材２３の片面に形成され、再剥離可能に擬似接着する擬似接着構造２４と、ハガキ基材２１の記入欄ｂに隠蔽ラベル片基材２３を粘着して隠蔽するための粘着層２５と、粘着層２５を保護する剥離紙２６と、この隠蔽ラベル片２２を予めラベル貼付片２１ｂに貼り付けておくための粘着層２７とを備えている。
この隠蔽ラベル片２２は、図２（Ｃ）に示すように、粘着層２５と剥離紙２６の間（矢印ｃ）で剥がして、図２（Ｄ）に示すように、粘着層２５でハガキ片２１ａに貼り替え、記入欄ｂを隠蔽する。そして、擬似接着構造２４の間（矢印ｄ）から剥がして、記入欄ｂを見る。
【０００６】
しかし、上述した従来の隠蔽付き申込ハガキは、隠蔽ラベル片が、図２（Ｃ）に示すような特殊な積層構造を有しているため、ラベル自体が厚いうえ、コストが高くなる、という問題があった。
また、図２（Ｃ）に示すように、粘着層２５と剥離紙２６の間（矢印ｃ）で剥がして、図２（Ｄ）に示すように、粘着層２５でハガキ片２１ａに貼り替えるときに、位置合わせ等が難しく、シワになる等の問題があった。
【０００７】
【特許文献１】特開平０８−１５６４６４号公報
【発明の開示】
【発明が解決しようとする課題】
【０００８】
本発明の課題は、薄く軽量であり、コストも抑えられ、しかも、隠蔽作業がしやすい隠蔽付き申込ハガキを提供することである。
【課題を解決するための手段】
【０００９】
前記課題を解決するために、請求項１の発明は、記入欄を設けたハガキ片と、前記ハガキ片の１辺に連接され、前記記入欄を隠蔽する隠蔽片と、前記隠蔽片の片面の略全面に設けられ、前記隠蔽片を前記ハガキ片に再剥離・再貼付可能に擬似接着する粘着剤層とを備え、前記隠蔽片は、前記ハガキ片に予め貼付されており、前記ハガキ片から剥離して前記記入欄に必要事項を記入したのちに、前記ハガキ片に再貼付可能であること、を特徴とする隠蔽ラベル付き申込ハガキである。
【発明の効果】
【００１０】
以上説明したように、本発明によれば、隠蔽片がハガキ片に予め貼付されており、ハガキ片から剥離して記入欄に必要事項を記入したのちに、ハガキ片に再貼付するという、３ステップで申込ハガキの作成が可能であり、作業が簡単である。
また、剥離紙がないため、コストダウンがはかれるうえ、資源の無駄を省け、環境にもやさしい。さらに、剥離紙がなく、また郵便法上、隠蔽片も薄紙を使用できるので、軽量化も可能である。
【発明を実施するための最良の形態】
【００１１】
本発明は、薄く軽量であり、コストも抑えられ、しかも、隠蔽作業がしやすい隠蔽付き申込ハガキを提供するという目的を、隠蔽片１２がハガキ片１１に予め貼付されており、ハガキ片１１から剥離して記入欄ｂに必要事項を記入したのちに、ハガキ片１１に再貼付することによって実現する。
【実施例】
【００１２】
以下、図面等を参照して、本発明の実施例をあげて、さらに詳しく説明する。
図１は、本発明による隠蔽ラベル付き申込ハガキの実施例を示す図である。
本実施例の隠蔽ラベル付き申込ハガキ１０は、記入欄ｂを設けた、例えば上質紙<坪量１１０ｇ／ｍｍ2>からなるハガキ片１１と、記入欄ｂを隠蔽する、例えば上質紙<坪量５５ｇ／ｍｍ2>からなる隠蔽片１２と、隠蔽片１２の片面の略全面に設けられ、隠蔽片１２をハガキ片１１に再剥離・再貼付可能に擬似接着する粘着剤層１４とを備えている。
隠蔽片１２は、図１（Ｂ）に示すように、ハガキ片１１とは接着剤層１５で一体的に設けられ、背側の内縁部にミシン目（折曲線）ｅが形成されている。
【００１３】
次に、本実施例の隠蔽ラベル付き申込ハガキ１０の使用方法を説明する。
まず、本実施例の隠蔽ラベル付き申込ハガキ１０は、図１（Ａ）に示すように、ハガキ片１１と隠蔽片１２とが、予め、貼付された状態である。
ついで、申込者は、案内文に従って隠蔽片１２を一旦開封する。つまり、図１（Ｂ）に示すように、隠蔽片１２をハガキ片１１から粘着剤層１４の境界線（図１（Ｄ）の矢印ｆ）で剥離し（図１（Ａ）の矢印ｇ，図１（Ｂ）の矢印ｈ）、ミシン目ｅから折って開封する。
そして、隠蔽片１２の裏側の粘着剤層１４を汚損しないようにしながら、内面に設けられた記入欄ｂに必要事項を記入し、必要に応じて捺印等も行う。なお、宛名は、ハガキ片１１の表面に印字又は記入すればよい。
記入が終わったら、図１（Ｃ）に示すように、隠蔽片１２を元に戻して（ハガキ片１１に再貼付して）（図１（Ｄ）の矢印ｉ）、記入欄ｂを隠蔽して、隠蔽ラベル付き申込ハガキ１０が完成するので、そのまま、ポストに投函できる。
【００１４】
本実施例によれば、隠蔽片１２がハガキ片１１に予め貼付されており、ハガキ片１１から剥離して記入欄ｂに必要事項を記入したのちに、ハガキ片１１に再貼付するという、３ステップで申込ハガキの作成が可能であり、作業が簡単である。
また、剥離紙がないため、コストダウンがはかれるうえ、資源の無駄を省け、環境にもやさしい。さらに、剥離紙がなく、また郵便法上、隠蔽ラベル片も薄紙を使用できるので、軽量化可能である。
さらにまた、ハガキ片１１と隠蔽片１２の２枚の用紙が、あらかじめ端部で綴じられた形態であるため、例えば、請求書に同封する場合等で、別途２つ折りする必要がない。
【００１５】
（変形例）
以上説明した実施例に限定されることなく、種々の変形や変更が可能であって、それらも本発明の均等の範囲内である。
（１）隠蔽片１２は、ハガキ片１１の表面の下半分に設けられていてもよい。
（２）ハガキ片１１は、予め、記入欄ｂに筆記適性を向上される受容層を形成しておいてもよい。
【図面の簡単な説明】
【００１６】
【図１】本発明による隠蔽ラベル付き申込ハガキの実施例を示す図である。
【図２】隠蔽付き申込ハガキの従来例を示す模式図である。
【符号の説明】
【００１７】
１０  隠蔽ラベル付き申込ハガキ
１１  ハガキ片
１２  隠蔽片
１４  粘着剤層
１５  接着剤層
【図１】
2007008095.tif 000003
【図２】
2007008095.tif 000004